(57)【要約】【課題】両端に自立可能な底部を備えた袋を用いて突き刺しチューブの突き刺しを安定良く行なえるようにした液体取り出し装置を提供する。【解決手段】液体収納袋７は合成樹脂フィルムを材料に用いて筒状となるように作られ、その胴部９の長さ方向両端である上下両端にスタンドパックの形態の下端の底部の形を呈する底部１０を備え、かかる液体収納袋７内に液体が充填され、一方液体収納袋７を収納し上端に突き刺しチューブ６を備えた液体取り出しポンプ５が取り付けられる容器の下端は中央部が高くなるように山型に上方に膨らんだ状態に形成されてなる膨らみ底部８を備え、内容物が充填された液体収納袋７を容器の中にセットしたとき、液体収納袋７の下端に位置する底部１０は膨らみ底部８によって上方に押し上げられ、液体収納袋７内の内容物が持ち上げられ、液体収納袋７の上端に位置する底部１０は張った状態となるようにした。【選択図】図５
2010095278.tif 000002
【特許請求の範囲】
【請求項１】
上端に液体取り出しポンプが取り付けられる容器内に内部に内容物である液体が充填されてなる液体収納袋が収納され、液体収納袋の上端に位置させた底部に液体取り出しポンプの突き刺しチューブが上から突き刺さり、液体取り出しポンプの動作により液体収納袋内部の液体が液体取り出しポンプのノズルより取り出されるようにした液体取り出し装置であって、液体収納袋は合成樹脂フィルムを材料に用いて筒状となるように作られ、その胴部の長さ方向両端である上下両端にスタンドパックの形態の下端の底部の形を呈する底部を備え、また胴部の長さ方向に沿う一側部に内容物の充填口を備えてなり、かかる液体収納袋内に液体が充填された状態で充填口の入口部が閉じられてなり、前記容器の下端は中央部が高くなるように山型に上方に膨らんだ状態に形成されてなる膨らみ底部を備え、内容物が充填された液体収納袋を容器の中にセットしたとき、液体収納袋の下端に位置する底部は前記膨らみ底部によって上方に押し上げられ、液体収納袋内の内容物が持ち上げられ、液体収納袋の上端に位置する底部は張った状態となるようにしたことを特徴とする液体取り出し装置。
【請求項２】
上端に液体取り出しポンプが取り付けられる容器内に内部に内容物である液体が充填されてなる液体収納袋が収納され、液体収納袋の上端に位置させた底部に液体取り出しポンプの突き刺しチューブが上から突き刺さり、液体取り出しポンプの動作により液体収納袋内部の液体が液体取り出しポンプのノズルより取り出されるようにした液体取り出し装置であって、液体収納袋は合成樹脂フィルムを材料に用いて筒状となるように作られ、その胴部の長さ方向両端である上下両端にスタンドパックの形態の下端の底部の形を呈する底部を備え、また胴部の長さ方向に沿う一側部に内容物の充填口を備えてなり、かかる液体収納袋内に液体が充填された状態で充填口の入口部が閉じられてなり、前記容器の下端には扁平な底板が形成されており、この底板上に中央部が高くなるように山型に上方に膨らんだ合成樹脂製の成型体を載せ、内容物が充填された液体収納袋を容器の中にセットしたとき、液体収納袋の下端に位置する底部は前記成型体によって上方に押し上げられ、液体収納袋内の内容物が持ち上げられ、液体収納袋の上端に位置する底部は張った状態となるようにしたことを特徴とする液体取り出し装置。
【発明の詳細な説明】
【技術分野】
【０００１】
本発明は、液体が充填されてなる液体収納袋を収める容器と、容器の上端に取り付けられた液体取り出しポンプとからなり、この液体取り出しポンプの突き刺しチューブが液体収納袋に突き刺さり、液体取り出しポンプの動作により内部の液体が液体取り出しポンプのノズルより取り出されるようにした液体取り出し装置に関するものである。
【背景技術】
【０００２】
従来から特許文献１に開示されているような両端に自立可能な底部を備え、両端の何れでも自立できるような筒状の形態を呈し、一側部に充填口を備えた袋が知られている。
上記特許文献１に開示されているような袋の場合、始めは扁平状態の袋の中に充填口より内容物を充填することにより袋は徐々に膨らむことになるが、充填中において袋は扁平状態に戻ろうと作用し、平面から見て完全な円形に近い形になるまで内容物を充填することは困難であった。つまり、袋の胴部は内容物によって外側に膨らむようには張っておらず、両端の底部も外側に張っておらずに、弛んだ状態となる。
【特許文献１】実開昭５７−８５４３６号公報
【発明の開示】
【発明が解決しようとする課題】
【０００３】
上記特許文献１に開示されているような袋に内容物を充填したものを用いて、容器内にセットし、容器の上端に取り付けられる液体取り出しポンプの突き刺しチューブを袋の上端に位置する底部に突き刺そうとしても袋の上端の底部が弛んでいるために突き刺しにくいという問題が生じる。
【０００４】
本発明の目的は、このような課題を解決するものであり、両端に自立可能な底部を備えた袋を用いて突き刺しチューブの突き刺しを安定良く行なえるようにした液体取り出し装置を提供することにある。
【課題を解決するための手段】
【０００５】
本発明の請求項１に記載の液体取り出し装置は、上端に液体取り出しポンプが取り付けられる容器内に内部に内容物である液体が充填されてなる液体収納袋が収納され、液体収納袋の上端に位置させた底部に液体取り出しポンプの突き刺しチューブが上から突き刺さり、液体取り出しポンプの動作により液体収納袋内部の液体が液体取り出しポンプのノズルより取り出されるようにした液体取り出し装置であって、液体収納袋は合成樹脂フィルムを材料に用いて筒状となるように作られ、その胴部の長さ方向両端である上下両端にスタンドパックの形態の下端の底部の形を呈する底部を備え、また胴部の長さ方向に沿う一側部に内容物の充填口を備えてなり、かかる液体収納袋内に液体が充填された状態で充填口の入口部が閉じられてなり、前記容器の下端は中央部が高くなるように山型に上方に膨らんだ状態に形成されてなる膨らみ底部を備え、内容物が充填された液体収納袋を容器の中にセットしたとき、液体収納袋の下端に位置する底部は前記膨らみ底部によって上方に押し上げられ、液体収納袋内の内容物が持ち上げられ、液体収納袋の上端に位置する底部は張った状態となるようにしたことを特徴とする。
【０００６】
請求項２に記載の液体取り出し装置は、上端に液体取り出しポンプが取り付けられる容器内に内部に内容物である液体が充填されてなる液体収納袋が収納され、液体収納袋の上端に位置させた底部に液体取り出しポンプの突き刺しチューブが上から突き刺さり、液体取り出しポンプの動作により液体収納袋内部の液体が液体取り出しポンプのノズルより取り出されるようにした液体取り出し装置であって、液体収納袋は合成樹脂フィルムを材料に用いて筒状となるように作られ、その胴部の長さ方向両端である上下両端にスタンドパックの形態の下端の底部の形を呈する底部を備え、また胴部の長さ方向に沿う一側部に内容物の充填口を備えてなり、かかる液体収納袋内に液体が充填された状態で充填口の入口部が閉じられてなり、前記容器の下端には扁平な底板が形成されており、この底板上に中央部が高くなるように山型に上方に膨らんだ合成樹脂製の成型体を載せ、内容物が充填された液体収納袋を容器の中にセットしたとき、液体収納袋の下端に位置する底部は前記成型体によって上方に押し上げられ、液体収納袋内の内容物が持ち上げられ、液体収納袋の上端に位置する底部は張った状態となるようにしたことを特徴とする。
【発明の効果】
【０００７】
以上のように、本発明の液体取り出し装置は、容器の下端に膨らみ底部を備えるか、あるいは膨らみ底部と同様の形をした成型体を設けることにより、内容物が充填された液体収納袋を容器の中にセットしたとき、液体収納袋の下端に位置する底部は膨らみ底部あるいは成型体によって上方に押し上げられ、液体収納袋内の内容物が持ち上げられ、液体収納袋の上端に位置する底部は張った状態となるようにしたので、突き刺しチューブの突き刺しが容易に行なえることになる。
【発明を実施するための最良の形態】
【０００８】
以下、本発明の実施の形態を、図面を用いて具体的に説明する。
先ず、図１〜図５に示す第１の実施の形態について説明すると、１は上端が開口する縦長の合成樹脂製の容器本体で、この容器本体１の上端開口部は容器本体１と同様の合成樹脂製からなり容器本体１の胴部１ａに被さる蓋体２によって閉じられ、容器を構成している。なお、蓋体２の下端内面には容器本体１の下端外面に形成されている雄ねじ部３に螺合する雌ねじ部４が形成されており、雌ねじ部４を雄ねじ部３に螺合させることにより容器本体１の上端が蓋体２で閉じられることになる。蓋体２の上端口部２ａには液体取り出し部となる液体取り出しポンプ５が螺合することにより装着される。液体取り出しポンプ５には前記容器本体１内に下向きに突出する突き刺しチューブ６を備え、この突き刺しチューブ６は容器本体１内にセットされる液体収納袋７（詳細は後述する）の上端に突き刺さり、液体取り出しポンプ５の動作により液体収納袋７内部の液体が液体取り出しポンプ５のノズル５ａより取り出されるようにした液体取り出し装置が構成される。ところで、前記容器本体１の下端底部は中央部が最も高くなるように山型に上方に膨らんだ状態に形成されている。８はその膨らみ底部である。
【０００９】
次に、前記液体収納袋７は合成樹脂フィルムを材料に用いて筒状となるように作られ、その胴部９の長さ方向両端である上下両端に、スタンドパックの形態の袋に備わる下端の底部の形をした底部１０を備え、またその長さ方向に沿う一側部の中央部に内容物の充填口１１を備えている。なお、内容物充填前は液体収納袋７が扁平状態であるがために前記底部１０も折り畳まれて膨らんだ状態とはなっていない。図中、１２は液体収納袋７のヒートシール部である。
【００１０】
上記の液体収納袋７の内部に内容物である洗剤やシャンプー、リンスなどの液体を充填するときは液体収納袋７の長さ方向が水平方向に向き、充填口１１が上に向くように液体収納袋７を位置決めし、かかる状態で充填口１１より内容物を充填するのである。内容物充填後は充填口１１の入口部をヒートシールにより閉じるのである。１３はそのヒートシール部である。
【００１１】
液体収納袋７を長さ方向が水平方向に向くようにして内容物を充填するとき、始めは液体収納袋７は扁平状態であり、充填口１１より内容物を充填することにより液体収納袋７は徐々に膨らむことになるが、充填中において液体収納袋７は扁平状態に戻ろうと作用し、液体収納袋７の胴部９が完全な円筒状に近い形になるまで内容物を充填することは困難であり、胴部９や底部１０が弛んだ状態となる。
【００１２】
つまり、内容物が充填された液体収納袋７を立てて従来の容器内にセットしたとき、液体収納袋７の胴部９や底部１０に張りがなく、液体取り出しポンプ５の突き刺しチューブ６で液体収納袋７の上端に位置する底部１０に突き刺すときに突き刺しチューブ６で底部１０が押されて沈むため、突き刺しチューブ６が底部１０に突き刺しにくいという問題がある。
【００１３】
そこで、本実施の形態では前述のように前記容器本体１の下端に中央部が高くなるように山型に上方に膨らんだ状態の膨らみ底部８が形成されており、内容物が充填された液体収納袋７を容器本体１の中にセットしたとき、液体収納袋７の下端に位置する底部１０は前記膨らみ底部８によって上方に押し上げられ、液体収納袋７内の内容物が持ち上げられる。その結果、液体収納袋７の上端に位置する底部１０は張った状態となる。
【００１４】
このように液体収納袋７を両端の底部１０が上下に位置するように立てた状態で容器本体１内にセットした状態で、上端口部２ａに液体取り出しポンプ５が螺合して装着された蓋体２によって容器本体１の上端を閉じる。そのとき、液体取り出しポンプ５から下向きに突出する突き刺しチューブ６を液体収納袋７の上端に位置する底部１０に上から突き刺す。そのとき、前記上端に位置する底部１０は張った状態となっているので突き刺しチューブ６の突き刺しが容易に行なえることになる。
【００１５】
なお、液体収納袋７には胴部９の長さ方向両端である上下両端にスタンドパックの形態の下端の底部の形を呈する底部１０を備えており、少なくとも上端に位置する底部１０は突き刺しチューブ６を突き刺しやすい材料を使用することが必要であるが、この上下両端の底部１０共に突き刺しチューブ６を突き刺しやすい材料を使用することも可能で、これにより、液体収納袋７を上下何れに向けても突き刺しチューブ６の突き刺しが可能となり、その結果液体収納袋７の長さ方向の何れの一端が上端に位置するように容器内に液体収納袋７をセットすることができて容器内へのセット時の方向性が無くなる。
【００１６】
次に、図６および図７に示す第２の実施の形態について説明すると、前記第１の実施の形態では前記容器本体１の下端に中央部が高くなるように山型に上方に膨らんだ状態の膨らみ底部８が形成されているが、第２の実施の形態では容器本体１の下端には扁平な底板１４が形成されており、この底板１４上に中央部が高くなるように山型に上方に膨らんだ合成樹脂製の成型体１５を載せるように構成されている。このように容器本体１の底板１４上に中央部が高くなるように山型に上方に膨らんだ成型体１５を載せておくことにより、内容物が充填された液体収納袋７を容器本体１の中にセットしたとき、液体収納袋７の下端に位置する底部１０は前記成型体１５によって上方に押し上げられ、液体収納袋７内の内容物が持ち上げられる。その結果、液体収納袋７の上端に位置する底部１０は張った状態となる。従って、この第２の実施の形態においても前記上端に位置する底部１０は張った状態となるので突き刺しチューブ６の突き刺しが容易に行なえることになる。他の構成は第１の実施の形態と同様である。
【００１７】
なお、この第２の実施の形態における成型体１５は下側に空間が存在するように断面が板状に作られているが、中実状に作られていても良い。
【図面の簡単な説明】
【００１８】
【図１】本発明の第１の実施の形態における液体取り出し装置の分解斜視図である。
【図２】同液体収納袋の液体充填前の状態を示す斜視図である。
【図３】同液体収納袋に液体を充填した後の状態を示す斜視図である。
【図４】同液体収納袋を容器本体内にセットし蓋体を閉じた後液体取り出しポンプの突き刺しチューブを液体収納袋の上端底部に突き刺す状態を示す断面図である。
【図５】同取り出しポンプの突き刺しチューブを液体収納袋の上端底部に突き刺した使用可能な状態を示す断面図である。
【図６】本発明の第２の実施の形態における液体取り出し装置の容器本体の底部上にセットされる成型体の斜視図である。
【図７】同成型体を容器本体の底部上にセットした状態で液体収納袋を容器本体内にセットし取り出しポンプの突き刺しチューブを液体収納袋の上端底部に突き刺した使用可能な状態を示す断面図である。
【符号の説明】
【００１９】
１      容器本体
２      蓋体
２ａ    上端口部
３      雄ねじ部
４      雌ねじ部
５      液体取り出しポンプ
５ａ    ノズル
６      突き刺しチューブ
７      液体収納袋
８      膨らみ底部
９      胴部
１０      底部
１１      充填口
１２      ヒートシール部
１３      ヒートシール部
１４      底板
１５      成型体
【図１】
2010095278.tif 000003
【図２】
2010095278.tif 000004
【図３】
2010095278.tif 000005
【図４】
2010095278.tif 000006
【図５】
2010095278.tif 000007
【図６】
2010095278.tif 000008
【図７】
2010095278.tif 000009